(57)【要約】      （修正有）【課題】ＭＡＣ層のレベルにおいてデータ伝送のリソースを最適化する方法、及びその方法を実施する装置を提供する。【解決手段】変調及び第１訂正符号の一組の利用可能なペアに基づいて、エラー率が、最大でも目標エラー率に等しいように、第１の訂正符号及び変調を適用する前に、ペアの各々に対し、伝送されるデータに適用されるべき第２の訂正符号の最大比率を決定することと、その全てが同じ大きさを持つように穴埋めのセクションで補完されている、受け取った複数Ｋのデータビットのパケットに基づいて、複数の冗長ビットのパケットＮＰＲを生成するように、第２の訂正符号が、中間アクセス層のレベルにおいて適用されるべく意図されていることと、変調と、第１及び第２の訂正符号を結び付ける解決策のグループの中から、どれが比率を最大化すること又は伝送ビットレートを最小化することを可能にするかを選定することとを含む。【選択図】図４
2014050107.tif 000002
【特許請求の範囲】
【請求項１】
データ伝送のリソースを最適化する方法であって、変調及び第１訂正符号の一組の利用可能なペアに基づいて、
−  不完全な通信路上において伝送後に受け取ったデータ内のエラー率が、最大でも目標エラー率に等しいように、前記第１の訂正符号及び前記変調を適用する前に、前記ペアの各々に対し、伝送されるデータに適用されるべき第２の訂正符号の最大比率を決定することと、
−  その全てが同じ大きさを持つように穴埋めのセクションで補完されている、受け取った複数Ｋのデータビットのパケットに基づいて、複数の冗長ビットのパケットＮＰＲを生成するように、前記第２の訂正符号が、中間アクセス層のレベルにおいて適用されるべく意図されていることと、
−  前記中間アクセス層の入力におけるビット数と、実際に伝送されたビット数との間の比率を表わす情報の項目、又は変調と、第１及び第２の訂正符号を結び付ける解決策のグループに必要とされる伝送ビットレートを表わす情報の項目を評価することと、
−  変調と、第１及び第２の訂正符号を結び付ける解決策のグループの中から、どれが前記比率を最大化すること又は前記伝送ビットレートを最小化することを可能にするかを選定することと
を含む方法。
【請求項２】
前記第２の訂正符号は、前記目標エラー率に適合するために必要なその最大比率が：
−  伝送路と関連する、変調と第１の訂正符号とからなるペアの、エラーの理論的確率を決定することと、
−  前記理論的確率によってモデル化された通信路上で、前記第２の訂正符号により保護されたデータの伝送のエラー率をシミュレートすることと、
−  シミュレートされたエラー率が目標のエラー率よりも小さくなるまで、前記第２の訂正符号により生成された冗長ビットのパケット数を増加させることと
によって決定される、「最大距離分離」符号であることを特徴とする、請求項１に記載のデータ伝送のリソースを最適化する方法。
【請求項３】
前記中間アクセス層の入力におけるビット数と、実際に伝送されたビット数との間の前記比率を表わす、前記情報の項目が、次の関係式：
Ｅ＝１−（ＴＥＰｓ．Ｋ．Ｒ）／（Ｋ＋ＮＰＲ）により計算され、ここで、ＮＰＲはＫ個のデータパケットを保護するために生成された冗長ビットのパケット数であり、かつＲは前記変調の記号毎のビット数により乗算された前記第１の訂正符号の比率であることを特徴とする、請求項２に記載のデータ伝送のリソースを最適化する方法。
【請求項４】
前記第２の訂正符号がブロック符号、例えばＲｅｅｄ  Ｓｏｌｏｍｏｎ（リード・ソロモン）符号であることを特徴とする、請求項２に記載のデータ伝送のリソースを最適化する方法。
【請求項５】
−  前記エラー率が誤ったＭＡＣパケットの比率であり、
−  変調と、採用された第１の訂正符号とからなるペアが、前記第１の訂正符号と前記変調の前記データパケットへの適用、及び前記中間アクセス層により提供される冗長パケットへの適用のために、物理層へと伝送されることを特徴とする、請求項１に記載のデータ伝送のリソースを最適化する方法。
【請求項６】
前記Ｋで補完されたデータパケットが、前もって前記第２の訂正符号の適用とインターリーブされることを特徴とする、請求項５に記載のデータ伝送のリソースを最適化する方法。
【請求項７】
冗長ビットの前記パケットのサイズが相互に等しく、かつ前記補完されたデータパケットのサイズに等しいことを特徴とする、請求項６に記載のデータ伝送のリソースを最適化する方法。
【請求項８】
請求項１〜７のいずれか一項に記載の、前記リソースを最適化する方法を実施するための手段を含む、データ伝送システム。
【請求項９】
前記手段が、少なくとも１つの中間アクセス層と、物理層と、伝搬路の品質についての情報項目とを含むことを特徴とする、請求項８に記載のデータ伝送システム。
【請求項１０】
プログラムがプロセッサにより実行されるとき、請求項１に記載のリソースを最適化する方法を実行するための指示を含む、コンピュータプログラム製品。
【発明の詳細な説明】
【技術分野】
【０００１】
本発明の分野は無線データ伝送システムに関し、特に伝送チャンネルが時間と共に大幅に変化する妨害を受ける伝送システムに関する。
【０００２】
本発明は、とりわけ通信路符号化、及び消費されるビットレートと伝送媒体の変動に対する堅牢性との間の効果的な妥協を探求することによる、データリンクのリソースにおける最適化の分野に関する。
【背景技術】
【０００３】
本発明によって目的としている全般の技術的問題点は、伝搬路の変動に対するデータ伝送の適応である。伝搬路の品質についての情報項目に応じた変調と符号化のペアを適応させることにある、頭字語ＡＣＭにより既知の、いわゆる適応符号化及び変調技術（Ａｄａｐｔｉｖｅ  Ｃｏｄｉｎｇ  ａｎｄ  Ｍｏｄｕｌａｔｉｏｎ  ｔｅｃｈｎｉｑｕｅ）が知られている。この技術は特にＷｉｍａｘ，ＵＭＴＳ，３ＧＰＰ／ＬＴＥ或いはＤＶＢ−Ｓ２規格において用いられている。この方法の目的は、システムによって提供される有用なビットレートを最適化しながら、与えられたサービスの品質レベルを保証するために、最善の変調と符号化パラメータとを決定することである。
【０００４】
伝送システムにおけるＡＣＭ法の実施は、幾つかのタイプの変調及び、同一訂正符号の幾つかの比率の管理を必要とする。ビットレート／保護の最適化をできる限り良好にし、伝搬路の変動に対する効果的な適応を可能にするため、極力多数の変調と符号化のペアによって益を得ることが絶対に必要である。今、この必要性は、それがとりわけ、通信路上で測定された、又は幾つかの別の等価な測定基準で測定された信号対雑音比（ＳＮ比）の関数として、変調／符号化のペアに関連するエラーの確率を推定できるようにする様々なグラフを格納するように、記憶スペースの観点で相当なリソースを持つことを伴うため、技術的な限界に直面する。さらに、あまりに多数の可能な選択肢はまた、伝送リンクの品質測定に基づき変調と符号化のパラメータの適応化を行なう制御ループの不安定さを生じる可能性があり、従って行われる処理の遅れを発生させ、それはリアルタイムの状況において不利益をもたらし得る。
【０００５】
ＡＣＭ法の実際の実施は、それゆえ一般的に限られた数の変調／符号化ペアを通じて行われる。
【０００６】
この著しい細分性は、そのときシステムの性能に関する欠点を示す。実際、ＡＣＭ法の適用は、受信の際の与えられたエラー率の制約に適合できるようにする変調／符号化のペアの決定を目的としている。しかしながら、この目的を達成するために採用される選択は、訂正符号によって加えられる冗長性のために、有用なビットレート及びスペクトル効率の低下を生じる。１つの変調／符号化のペアから別の変調／符号化のペアへの切り替えは、その著しい細分性のために有用なビットレート及びスペクトル効率の大幅な低下を生じ得る。
【０００７】
この欠点は、４つの異なる変調／符号化のペアに対するＳＮ比の関数としてのスペクトル効率を表わす、図１に例証されている。曲線１０は、比率が１／３の符号と関連するＱＰＳＫ（四相位相偏移変調＝ｑｕａｄｒａｔｕｒｅ  ｐｈａｓｅ  ｓｈｉｆｔ  ｋｅｙｉｎｇ）に対応する。曲線２０は、比率が１／２の符号と関連するＱＰＳＫ（四相位相偏移変調）に対応する。曲線３０は、比率が２／３の符号と関連するＱＰＳＫ（四相位相偏移変調）に対応する。曲線４０は、比率が３／４の符号と関連するＱＰＳＫ（四相位相偏移変調）に対応する。ＳＮ比のしきい値を超えると、スペクトル効率は水平域の値に達する。最大の到達可能なスペクトル効率は、選ばれたペアに応じて、時に０．１ビット／ｓｅｃ／Ｈｚよりも大きい差を示す。ポテンシャル過剰効率の領域５０は曲線上で識別される。それらは、加えられた保護が、得られる堅牢性におけるゲインに関して、有用なビットレートをあまりに著しく制限する場合に相当する。
【発明の概要】
【発明が解決しようとする課題】
【０００８】
本発明は、いわゆるＡＣＭ法の前述の欠点を軽減できるようにする、解決策を提案する。
【０００９】
この解決策は、ＡＣＭの解決策だけに関してＭＡＣ層のレベルで考えられる、有用なビットレート及びスペクトル効率の低下を制限しながら、最大のエラー率を保証するように、生成された冗長ビットのパケット数がそれに対して決定される、望ましくはＭＤＳ（最大距離分離＝Ｍａｘｉｍｕｍ  Ｄｉｓｔａｎｃｅ  Ｓｅｐａｒａｂｌｅ）タイプの抹消符号である第２の訂正符号を、ＭＡＣ層のレベルにおいて通信路符号化の上流に適用することにある。
【００１０】
さらに、本発明による方法は、通信路の品質に応じて伝送のパラメータを適応させるため、性能を改善し、そしてループのレベルにおける不安定さを生じずに、限られた数の変調／符号化のペアを保つことを可能にする。
【課題を解決するための手段】
【００１１】
本発明の主題は、変調及び第１訂正符号の一組の利用可能なペアに基づいて、
−  不完全な通信路上において伝送後に受け取ったデータ内のエラー率が、最大でも目標エラー率に等しいように、第１の訂正符号及び変調を適用する前に、前記ペアの各々に対し、伝送されるデータに適用されるべき第２の訂正符号の最大比率を決定することと、
−  その全てが同じ大きさを持つように穴埋めのセクションで補完されている、受け取った複数のデータビットのパケットに基づいて、複数の冗長ビットのパケットを生成するように、前記第２の訂正符号が、中間アクセス層のレベルにおいて適用されるべく意図されていることと、
−  中間アクセス層（ＭＡＣ）の入力におけるビット数と、実際に伝送されたビット数との間の比率を表わす情報の項目、又は変調と、第１及び第２の訂正符号を結び付ける解決策のグループに必要とされる伝送ビットレートを表わす情報の項目を評価すること（４１１）と、
−  変調と、第１及び第２の訂正符号を結び付ける解決策のグループの中から、どれが前記比率を最大化すること又は前記伝送ビットレートを最小化することを可能にするかを選定すること（４１２）と
を含むことを特徴とする、とりわけデータ伝送のリソースを最適化する方法である。
【００１２】
本発明の特定の態様によれば、前記第２の訂正符号は、前記目標エラー率に適合するために必要なその最大比率が：
−  伝送路と関連する、変調と第１の訂正符号とからなるペアの、エラーの理論的確率を決定することと、
−  前記理論的確率によってモデル化された通信路上で、前記第２の訂正符号により保護されたデータの伝送のエラー率をシミュレートすることと、
−  シミュレートされたエラー率が目標のエラー率よりも小さくなるまで、前記第２の訂正符号により生成された冗長ビットのパケット数を増加させることと
によって決定される、「最大距離分離」符号である。
【００１３】
本発明の特定の態様によれば、中間アクセス層（ＭＡＣ）の入力におけるビット数と、実際に伝送されたビット数との間の前記比率を表わす、前記情報の項目は、次の関係式により計算される：
Ｅ＝１−（ＴＥＰｓ．Ｋ．Ｒ）／（Ｋ＋ＮＰＲ）
ここで、ＮＰＲはＫ個のデータパケットを保護するために生成された冗長ビットのパケット数であり、かつＲは変調の記号毎のビット数により乗算された第１の訂正符号の比率である。
【００１４】
本発明の特定の態様によれば、前記第２の訂正符号はブロック符号、例えばＲｅｅｄ  Ｓｏｌｏｍｏｎ（リード・ソロモン）符号である。
【００１５】
本発明の特定の態様によれば、前記エラー率（ＴＥＰｓ、ＴＥＰｃ）は誤ったＭＡＣパケットの比率であり、変調と、採用された第１の訂正符号とからなるペアは、前記第１の訂正符号と前記変調のデータパケットへの適用、及び中間アクセス層により提供される冗長パケットへの適用のための、物理層へと伝送される。
【００１６】
本発明の特定の態様によれば、前記Ｋで補完されたデータパケットは、前もって第２の訂正符号の適用とインターリーブされる。
【００１７】
本発明の特定の態様によれば、冗長ビットの前記パケットのサイズは相互に等しく、そして前記補完されたデータパケットのサイズに等しい。
【００１８】
本発明の主題はまた、本発明によるリソースを最適化する方法を実施するための手段を含む、データ伝送システムである。前記手段は、少なくとも１つの中間アクセス層と、物理層と、伝搬路の品質についての情報項目とを含み得る。
【００１９】
本発明の主題はまた、プログラムがプロセッサにより実行されるとき、本発明に従ってリソースを最適化する方法の実行のための指示を含む、コンピュータプログラム製品である。
【００２０】
本発明のその他の特徴及び利点は、添付図に関連して以下に続く説明を読むことにより、より明らかになるであろう。
【図面の簡単な説明】
【００２１】
【図１】各種の変調と符号化のペアに対するＳＮ比の関数としての、スペクトル効率を表わす図である。
【図２】本発明による方法を実施するのに適したデータ伝送システムの図である。
【図３】伝送システムの中間アクセス層（ＭＡＣ）のレベルにおいて受け取った複数のパケットに対する、いわゆる「最大距離分離」符号の適用を例証する図である。
【図４】ＭＡＣ層のレベルにおいて生成される、最適な変調と符号化のペア、及び冗長パケットの数の決定を可能にする、本発明による方法を記述しているフローチャートである。
【図５】本発明の適用により得られる処理ゲインを示すＳＮ比の関数としての、結果として生じるスペクトル効率の曲線の一例である。
【発明を実施するための形態】
【００２２】
本発明による方法は、中間アクセス層（ＭＡＣ層）によって受け取られるパケットに、ＭＤＳ（最大距離分離＝Ｍａｘｉｍｕｍ  Ｄｉｓｔａｎｃｅ  Ｓｅｐａｒａｂｌｅ）符号と称される抹消訂正符号を適用することにある。そのような符号の主な特性は、Ｋが情報パケットの数で、Ｎが情報パケットと冗長パケットを含む伝送されたパケットの総数である場合、Ｎ個のパケットのうちのＫ個の任意の組合せが、訂正符号を適用する前にＫ個の有用なパケット内に含まれる情報の項目を回復できるようにすることである。使用される訂正符号はブロック符号、例えばＲｅｅｄ  Ｓｏｌｏｍｏｎ（リード・ソロモン）符号であり得る。本発明はＭＤＳ符号を用いた有利なやり方で適用されるが、しかしまた他のタイプの訂正符号、例えばＬＤＰＣ（低密度パリティチェック＝Ｌｏｗ  Ｄｅｎｓｉｔｙ  Ｐａｒｉｔｙ  Ｃｈｅｃｋ）符号、又は同じ特性を得ることを可能にする他の任意の訂正符号にも依然として適合する。
【００２３】
図２は、本発明による方法の実施のためのデータ伝送システムを図式的に示す。
【００２４】
本発明は、無線リンクを介し受信機２０２に向けてデータを送信するための、一般的にはアンテナである手段２１０を備える送信機２０１の中で実施され得る。
【００２５】
送信機２０１は、送信機２０１内又は別個の実体内で実施されるアプリケーション２１１から生じるデータを送信するために、適応的変調及び符号化手法を行なうことができる。そのようなアプリケーションは、音声、画像又はビデオ、或いはテキストデータを送るための伝送アプリケーションであり得る。アプリケーション２１１により生成されるデータパケットは、中間アクセス層２１２もしくはＭＡＣ層に伝送され、次に、とりわけ、それらを物理的通信路上で伝送するようにデータを整形することを担当している物理層２１３に伝送される。特に、適切な変調と適切な通信路符号化が、ＭＡＣ層により伝送されるパケットに、このレベルで適用される。伝送チャンネルの品質の測定２１４の関数として、必要とされるサービスの品質レベルを得るように、ＭＡＣ層は変調と通信路符号化とに関するペアのパラメータを選定する。
【００２６】
本発明による方法は、送信機２０１のＭＡＣ層２１２のレベルにおいて有利に実施される。
【００２７】
図３は、ＭＡＣ層によって受け取られる一組のパケットに対する、ＭＤＳ訂正符号の例示的な適用を説明する。
【００２８】
数量Ｋ個のＭＡＣパケットＰＭ１、ＰＭ２、ＰＭｉ、ＰＭＫが考慮され、その各々はアプリケーション２１１から由来するヘッダーＨ１、Ｈ２、Ｈｉ、ＨＫ及びペイロードＰ１、Ｐ２、Ｐｉ、ＰＫを含む。ペイロードは可変の大きさであり、ペイロードの最大サイズはＬＭＡＸと称される。ＭＤＳ訂正符号は次のやり方で適用される。穴埋め領域Ｂ１、Ｂ２、ＢＫは、全てのもたらされるパケットがＬＭＡＸに等しい大きさを持つように、各ペイロードの後で連結される。これらの穴埋め領域は、例えば全て０に等しいビットから成り、物理層には伝送されない。それらはＭＡＣ層により実施される符号化演算のためだけに役立つ。
【００２９】
Ｋ個の結果として生じるパケットは、Ｋ行及びＬＭＡＸ列のマトリックスを構成するために並べられ、次に訂正符号が列ごとに適用される。Ｋ個の記号（ビット又はバイト）を含む各列に対して、冗長信号の数Ｍが従って生成される。この演算は列のグループに対して繰り返され、それにＭＡＣヘッダーＨＫ＋１、ＨＫ＋Ｍが加えられる、Ｍ個の冗長パケットＰＫ＋１、ＰＫ＋Ｍの生成をもたらす。冗長パケットの数Ｍは、以下に記述される本発明による方法を適用することにより決定される。Ｎ＝Ｋ＋Ｍのパケットはその後、選ばれた変調／符号化のペアに関する情報の項目と共に、物理層へ伝送される。
【００３０】
本発明の範囲から逸脱することなく、ＭＤＳ訂正符号のその他の適用は、それらがＫ個の有用なデータパケットに基づいてＭ個の冗長パケットの生成を可能にする限り、そしてＮ＝Ｍ＋Ｋ個の結果として生じるパケットが物理層に伝送される限り想定される。
【００３１】
ここで記述されるのは、システムの物理層のレベルにおいて、適用されるべき最適な変調／符号化のペアと、そして同様に冗長パケットの数、言い換えればＭＡＣ層のレベルにおいて適用される、ＭＤＳ訂正符号の比率とを選ぶことを可能にする本発明による方法である。
【００３２】
探求される目的は、目標の比率未満である誤ったか又は失われたパケットの比率を得ることを可能にする、全体の変調及び符号化のパラメータを決定する一方で、得られたデータ流の伝送用に必要なビットレートを最小化し、或いは一方でＭＡＣ層のレベルにおいて計算されるスペクトル効率を最大化することである。
【００３３】
この目的に達するために、本発明による方法は最初に、物理層のために利用できる各々の変調／符号化のペアに対して、目指しているエラー率の目標を達成するために必要とされる、追加の冗長ビットの最小パケット数を決定することにある。この最小数は、物理層の通信路符号化の比率が十分である場合、任意選択的にゼロであり得る。言い換えれば、これは物理的な通信路符号化及び変調の上流で、ＭＡＣ層のレベルにおいて適用される抹消符号の比率を決定することを伴う。
【００３４】
その後に、物理層に対する変調及び通信路符号化と、ＭＡＣ層に対するＭＤＳ符号とを組み合わせる全体的な解決策は、ＭＡＣ層が採用されるレベルにおいて、最小の伝送ビットレートを必要とし、又は最大のスペクトル効率を得ることを可能にする。
【００３５】
図４は、本発明による方法の１つの例示的実施形態をフローチャートで説明している。
【００３６】
本方法の実施は、次の入力データ４０１を必要とする：ＭＤＳ訂正符号の適用により保護されるＭＡＣパケットの数Ｋ、目標とされるＳＮ比に関する動作点、目標とするパケットのエラー率ＴＥＰｃ、変調／符号化ペアの各々、及び各ペアのスペクトル効率と関連する理論的なパケットのエラー率の確率。スペクトル効率は、選ばれた変調の記号当たりのビット数により乗算された、物理層のレベルにおいて適用される、訂正符号の比率として定義される。例えば、１／３の比率の訂正符号と関連するＱＰＳＫ（四相位相偏移変調）は、２／３に等しい全体比率を示す。
【００３７】
各々の利用可能な変調／符号化の解決策に関して、次のステップのグループが実行される。
【００３８】
初期化ステップ４０２において、シミュレートされたパケットのエラー率ＴＥＰｓは１へと初期化され、ＭＡＣレベルにおいて生成されるべき冗長ビットのパケット数ＮＰＲは０へと初期化され、そして正しく受け取られたバーストの数は０へと初期化される。１つのバーストはＫ＋Ｍ個のパケットからなる。
【００３９】
シミュレートされたパケットのエラー率ＴＥＰｓと目標のパケットのエラー率ＴＥＰｃとの比較４０３が行われる。ＴＥＰｓが厳密にＴＥＰｃよりも大きい限り、次のステップが実行される。
【００４０】
４０４において冗長ビットのパケット数ＮＰＲは増やされる。
【００４１】
シミュレートされたパケットのエラー率ＴＥＰｓは、その後、伝送されたパケットの大きな数ＮＭ、すなわち、少なくとも理論的なエラー確率で１００を除算した値に等しい数に対して次のステップを繰り返すことにより計算される。
【００４２】
正しく受け取られたパケットの数ＮＲは４０５において０へと初期化される。
【００４３】
ＭＤＳ訂正符号の適用後にＭＡＣ層のレベルにおいて生成された、Ｎ＝Ｋ＋Ｍ個のパケットの伝送に対する伝搬路の影響は、その後にシミュレートされる。この時点において、冗長ビットＭのパケット数はＮＰＲに等しい。
【００４４】
Ｋ＋ＮＰＲ個のパケットに対して、ガウス確率ドローの結果を理論的エラー確率と比較することにより、テスト４０６が行われる。このテストが正の場合、これは現在のパケットが受け取られ、正しく受け取られたパケットの数ＮＲは増加することを４０７において表わす。一旦このテストがＫ＋ＮＰＲ個のパケットに対して行われると、正しく受け取られたパケットの数ＮＲがＫよりも大きいか、又はＫに等しいかが４０８において確認される。その場合は、正しく受け取られたバーストの数ＮＢは４０９において増加する。
【００４５】
伝送されたパケットの数ＮＭにわたるループが終了したとき、シミュレートされたエラー率ＴＥＰｓ＝１−ＮＢ／ＮＭが４１０において計算される。
【００４６】
シミュレートされたエラー率ＴＥＰｓが目標エラー率ＴＥＰｃよりも小さくなるとき、シミュレートされた解と関連するＭＡＣ層のレベルにおけるスペクトル効率は、次の式により４１１において計算される：
Ｅ＝１−（ＴＥＰｓ．Ｋ．Ｒ）／（Ｋ＋ＮＰＲ）
ここで、Ｒは物理層に適用される変調／符号化の解決策と関連する全体の比率である。ここで計算されている「ＭＡＣ層のレベルにおけるスペクトル効率」の表現は、シミュレートされたエラー率の影響を考慮しており、伝送された信号の累乗のような、別のパラメータを考慮する物理層のレベルにおいて計算されたスペクトル効率からは区別されるべきである。
【００４７】
ＭＡＣ層Ｅのレベルにおけるスペクトル効率はまた、ＭＡＣ層の入力において伝送されるビット数と、物理層の出力において伝送される総ビット数との比率としても定義され得る。
【００４８】
ＭＡＣ層のレベルにおけるスペクトル効率が、物理層に対して利用可能な解決策のグループのために、最後のステップ４１２において計算されているとき、採用されるＳＮ比に関する動作点に対して、最高のスペクトル効率Ｅを示す解決策が採用される。
【００４９】
本発明の変形の一実施形態において、ＭＡＣ層のレベルにおけるスペクトル効率の代わりに、採用される解決策に従って符号化され、変調されたデータ流を伝送するために必要とされる、物理的ビットレートを評価することが可能である。そのとき、選定基準は最も低い物理的ビットレートを必要とする解決策を採用することにある。この変形は、伝送されるべきＭＡＣパケットの実際と最大のサイズが考慮されることを必要とする。
【００５０】
上述の方法はＭＡＣ層のレベルにおいて適用され、次の３つのパラメータの決定を可能にする：採用される変調、物理層に対して採用される訂正符号、及びＭＡＣ層のレベルにおいて適用されるＭＤＳ訂正符号の比率。最初の２つのパラメータは物理層へ伝送され、３番目は図３に述べられているやり方でＭＡＣパケットを符号化するために用いられる。
【００５１】
本発明による方法は、いわゆるＭＤＳ符号である、第２の訂正符号によって生成される冗長ビットが全体的なＭＡＣパケットの形で直接提供され、従ってそれらをフレーム内に置くための複雑な管理を必要としないため、プロトコルスタックの管理に関わる、伝送装置の大幅な変更を必要としないという利点をとりわけ提供する。特に、提案されている方法は何ら追加的な断片化又は連結を必要としない。
【００５２】
さらに、それは通信路の品質に応じて、伝送のパラメータ、言い換えれば、物理層のレベルにおいて適用される通信路符号化及び変調パラメータを適応させるためのループを安定させることを可能にする。
【００５３】
それはハードウェア及び／又はソフトウェア要素に基づいて実施され得る。それは特にその実行に対する指示を含むコンピュータプログラムの名の下に実施され得る。コンピュータプログラムは、プロセッサによって読み取り可能な記録媒体上に記録されることができる。
【００５４】
図５は、ＳＮ比の関数としてスペクトル効率を与える図において、本発明による方法を適用することによって得られる性能を例証している。曲線５０１は、従来のＡＣＭ法、ここでは比率が２／３の符号と組み合わされたＱＰＳＫ変調を適用することにより選定される解決策のスペクトル効率を与える。曲線５０２は、本発明に従う方法を適用することによって得られたスペクトル効率を与える。かなりのゲインが得られていることが見られる。同一のＳＮ比に対して、スペクトル効率は増大している。同一のスペクトル効率に対して、ＳＮ比の観点からの動作点は低下している。
【符号の説明】
【００５５】
１０  曲線
２０  曲線
３０  曲線
４０  曲線
５０  ポテンシャル過剰効率の領域
２０１  送信機
２０２  受信機
２１０  一般的にはアンテナである手段
２１１  アプリケーション
２１２  ＭＡＣ層
２１３  物理層
２１４  伝送チャンネルの品質の測定
５０１  曲線
５０２  曲線
【図１】
2014050107.tif 000003
【図２】
2014050107.tif 000004
【図３】
2014050107.tif 000005
【図４】
2014050107.tif 000006
【図５】
2014050107.tif 000007